(57)【要約】【課題】撮影場所の生物の正しい名前等を容易に特定することができる検索システムを提供する。【解決手段】観察者が花を撮影したときの位置をＧＰＳアンテナによって検出し、花の位置が指定領域ＭＡ１内にあるとき（例えば花が位置Ｂにあるとき）、撮影した花の画像データから花の特徴を抽出し、この特徴に基づいて地域データベースから該当する花の属性情報を検索し、検索結果を液晶ファインダに表示する。また、花の位置が指定領域ＭＡ１内にないとき（例えば花が位置Ａにあるとき）、検索を行わないで、「データベースに登録されていない地域です」と液晶ファインダに表示する。【選択図】図２
2007179129.tif 000002
【特許請求の範囲】
【請求項１】
地図データ及びその地図データ上の特定地域に生息する生物の属性情報が登録された生物データベースを有するデータベースと、
生物撮影用の撮影手段の位置を検出する位置検出手段と、
前記位置検出手段で検出された前記撮影手段の位置が前記地図データ上の閉曲線で囲まれた領域内にある場合、前記生物データベースに登録された前記生物の属性情報から前記撮影手段によって撮影された生物の属性を検索する検索手段と
を備えていることを特徴とする検索システム。
【請求項２】
前記閉曲線は、地形を表す曲線であることを特徴とする請求項１記載の検索システム。
【請求項３】
前記閉曲線は、等高線を表す曲線であることを特徴とする請求項１記載の検索システム。
【請求項４】
前記閉曲線は、山、山脈、湖沼、河川及び前記河川の流域を表す曲線であることを特徴とする請求項１記載の検索システム。
【請求項５】
前記領域は、法律又は条例に基いて国又は地方自治体が指定する領域であることを特徴とする請求項１記載の検索システム。
【請求項６】
前記領域は、国立公園、国定公園又は県立公園として特定された領域であることを特徴とする請求項１記載の検索システム。
【請求項７】
前記領域は、緯度及び経度によって特定される矩形の領域であることを特徴とする請求項１記載の検索システム。
【請求項８】
前記位置検出手段で検出された前記撮影手段の位置が前記閉曲線で囲まれた領域内にない場合、前記生物データベースに属性情報が登録されていないことを表示するための表示手段を備えていることを特徴とする請求項１記載の検索システム。
【発明の詳細な説明】
【技術分野】
【０００１】
この発明は、検索システムに関する。
【背景技術】
【０００２】
従来、花の画像検索システムとして、花の画像、花の簡単な特徴、利用者の位置情報を用いて、花の咲いている場所で直ちに花の名前等の情報を検索し、その場で検索結果を得ることができるシステムが知られている。
【非特許文献１】「原幸司、田畑惣太郎、岩崎慶、高木佐恵子、吉本富士市：携帯電話を用いた花の情報検索システム、和歌山大学  ＦＩＴ２００４  第３回情報科学技術フォーラム、Ｉ−０４２」
【発明の開示】
【発明が解決しようとする課題】
【０００３】
しかし、花の生育地域は地形や標高等によって決まり、その生育地域の境界線は複雑な曲線であるため、サーバマシン側のデータベースに蓄積されている花の生育地域と実際上の生育地域とが一致しないことがあった。その結果、実際には花の撮影場所に生育しない花の名前がその場所の花の名前として検索され、多くの花の名前が液晶ファインダに表示されるため、正しい花の名前を特定し難かった。
【０００４】
この発明はこのような事情に鑑みてなされたもので、撮影場所の生物の正しい名前等を容易に特定することができる検索システムを提供することである。
【課題を解決するための手段】
【０００５】
上記課題を解決するため請求項１記載の発明は、地図データ及びその地図データ上の特定地域に生息する生物の属性情報が登録された生物データベースを有するデータベースと、生物撮影用の撮影手段の位置を検出する位置検出手段と、前記位置検出手段で検出された前記撮影手段の位置が前記地図データ上の閉曲線で囲まれた領域内にある場合、前記生物データベースに登録された前記生物の属性情報から前記撮影手段によって撮影された生物の属性を検索する検索手段とを備えていることを特徴とする。
【０００６】
請求項２記載の発明は、請求項１記載の検索システムにおいて、前記閉曲線は、地形を表す曲線であることを特徴とする。
【０００７】
請求項３記載の発明は、請求項１記載の検索システムにおいて、前記閉曲線は、等高線を表す曲線であることを特徴とする。
【０００８】
請求項４記載の発明は、請求項１記載の検索システムにおいて、前記閉曲線は、山、山脈、湖沼、河川及び前記河川の流域を表す曲線であることを特徴とする。
【０００９】
請求項５記載の発明は、請求項１記載の検索システムにおいて、前記領域は、法律又は条例に基いて国又は地方自治体が指定する領域であることを特徴とする。
【００１０】
請求項６記載の発明は、請求項１記載の検索システムにおいて、前記領域は、国立公園、国定公園又は県立公園として特定された領域であることを特徴とする。
【００１１】
請求項７記載の発明は、請求項１記載の検索システムにおいて、前記領域は、緯度及び経度によって特定される矩形の領域であることを特徴とする。
【００１２】
請求項８記載の発明は、請求項１記載の検索システムにおいて、前記位置検出手段で検出された前記撮影手段の位置が前記閉曲線で囲まれた領域内にない場合、前記生物データベースに属性情報が登録されていないことを表示するための表示手段を備えていることを特徴とする。
【発明の効果】
【００１３】
この発明によれば撮影場所の生物の正しい名前等を容易に特定することができる。
【発明を実施するための最良の形態】
【００１４】
以下、この発明の実施の形態を図面に基づいて説明する。
【００１５】
図１はこの発明の一実施形態に係る検索システムの全体構成図である。
【００１６】
検索システム１は撮像部（撮影手段）４０と液晶ファインダ（表示手段）５０とファインダメモリ５５とレリーズボタン６０と時計７０とＧＰＳアンテナ３０とＭＰＵ（Ｍｉｃｒｏ  Ｐｒｏｃｅｓｓｉｎｇ  Ｕｎｉｔ）（検索手段）１０とデータベース２０とを備える。
【００１７】
撮像部４０はレンズ４１と撮像素子４２と画像処理回路４３とを有する。
【００１８】
レンズ４１にはフォーカスレンズやズームレンズが含まれる。レンズ４１は被写体像を撮像素子４２の受光面上に結像させる。例えば、フォーカスレンズを駆動することによって検索システム１から焦点の合う被写体である花等までの距離である合焦距離を変更することができる。
【００１９】
撮像素子４２は例えばＣＣＤ（Ｃｈａｒｇｅ  Ｃｏｕｐｌｅｄ  Ｄｅｖｉｃｅ）である。ＣＣＤは複数の画素を有し、レンズ４１によって受光面に結像された被写体像の光強度に応じた電気的な画像信号４２ａを画像処理回路４３へ出力する。ＣＣＤの各画素に電荷を蓄積する時間を制御することによって露出度が制御される。
【００２０】
画像処理回路４３は撮像素子４２で光電変換された画像信号を所定のタイミングでサンプリングし、そのサンプリングした信号を所定のレベルに増幅する。画像処理回路４３でサンプリングした画像信号を図示しないＡ／Ｄ変換回路でデジタル化し、画像データ４３ａとしてファインダメモリ５５に出力する。また、画像処理回路４３は画像データ４３ａの他に１画面の画像データを取得する毎に１画面の画像データを取得したことを知らせる信号４３ｂをＭＰＵ１０へ出力する。
【００２１】
ファインダメモリ５５には画像データ４３ａが一旦記憶される。
【００２２】
液晶ファインダ５０にはファインダメモリ５５に記憶された画像データ５５ａが画像として表示される。また、液晶ファインダ５０には地域データベース２２で検出された生物の属性情報や地域データベース２２に属性情報が登録されていないことが表示される。
【００２３】
レリーズボタン６０が観察者によって押されるとＭＰＵ１０に撮影を知らせる信号６０ａが送られる。レリーズボタン６０が押された場合、ＭＰＵ１０はファインダメモリ５５に記憶された最新の画像データ５５ａをメモリカード（図示せず）等に転送して格納する。
【００２４】
時計７０からは撮影年月日等を特定するための信号７０ａがＭＰＵ１０へ送られる。
【００２５】
ＧＰＳ（Ｇｌｏｂａｌ  Ｐｏｓｉｔｉｏｎｉｎｇ  Ｓｙｓｔｅｍ）アンテナ（位置検出手段）３０は、複数の人工衛星からの信号に基づいて撮像部４０の位置を検出する。撮像部４０の位置情報はＭＰＵ１０に送られる。
【００２６】
検索システム１では、撮像部４０が撮像する生物（例えば花）から数ｍの位置にあれば、撮像部４０の位置と生物の位置とはデータベース２０内では同一位置として扱われる。
【００２７】
データベース２０は全国データベース２１と地域データベース（生物データベース）２２とを有する。
【００２８】
全国データベース２１には日本全体の地図データと日本に生息する花の属性情報（花の名前、種類、生息域、花びらの特徴、花のサンプル画像）とが登録されている。なお、全国データベース２１に登録されている花の種類は４０００種類程度である。
【００２９】
地域データベース２２には、地図データと、地図データ上の閉曲線で囲まれた領域、法律又は条例に基いて国又は地方自治体が指定する領域及び緯度及び経度によって指定される矩形の領域に生息する花の属性情報とが登録されている。以後、これら３つの領域を特定地域と称する。地図データ上の閉曲線で囲まれた領域は、地形を表す曲線で囲まれた領域、等高線で囲まれた領域、山、山脈、湖沼、河川及び河川の流域を表す曲線で囲まれた領域である。法律又は条例に基いて国又は地方自治体が指定する領域は、国立公園、国定公園又は県立公園である。地域データベース２２に登録されている花の種類は特定地域の合計で３５０種類程度である。
【００３０】
ＭＰＵ１０はＧＰＳアンテナ３０で検出された撮像部４０の位置が地域データベース２２の特定地域内にある場合、地域データベース２２に登録された生物の属性情報から撮像部４０によって撮影された花の属性を検索する。以後、ＧＰＳアンテナ３０が検出する撮像部４０の位置を、撮影位置と称する。
【００３１】
次に、例えば八ヶ岳中信高原国定公園にある霧が峰に咲く花を検索する場合を例に挙げて検索システム１の動作を説明する。八ヶ岳中信高原国定公園は特定地域内に位置する、国が指定する領域である。
【００３２】
図２はこの発明の第１実施形態に係る検索システム１を用いた検索方法を説明するための図、図３は液晶ファインダ５０に表示される検索結果表示の一例を示す図である。
【００３３】
図３（Ａ）は撮影位置が指定領域内の場合の表示例であり、図３（Ｂ）は撮影位置が指定領域外の場合の表示例である。
【００３４】
地域データベース２２には、八ヶ岳中信高原国定公園にある北緯３６度０７分、北緯３６度０６分、東経１３８度１０分及び東経１３８度１２分で囲まれた長方形の領域（指定領域ＭＡ１）の地図データ（舗装道路ＰＳ、散策路ＷＳ等）とその長方形の領域に生息する花の属性情報とが登録されている（図２参照）。
【００３５】
地点Ｂで観察者がレリーズボタン６０を押すと、ＭＰＵ１０はファインダメモリ５５に画像データ４３ａを記憶させ、撮影位置が指定領域ＭＡ１内にあるか否を判断する。
【００３６】
地点Ｂは指定領域ＭＡ１の高山植物生息域ＡＰ２内に位置しているので（図２参照）、ＭＰＵ１０はファインダメモリ５５内の画像データ４３ａから画像認識によって花の特徴を抽出し、この特徴に基づいて地域データベース２２から該当する花の属性情報を検索する。
【００３７】
ＭＰＵ１０は検索された属性情報のうちの花の名前（オミナエシ）、地点Ｂの地名（霧ヶ峰）、地域（八ヶ岳中信高原国定公園）及び山の名前（車山）を液晶ファインダ５０に表示する（図３（Ａ）参照）。
【００３８】
これに対し、地点Ａで観察者がレリーズボタン６０を押すと、ＭＰＵ１０はファインダメモリ５５に画像データ４３ａを記憶させ、撮影位置が指定領域ＭＡ１内にあるか否を判断する。
【００３９】
地点Ａは指定領域ＭＡ１外に位置するので（図２参照）、ＭＰＵ１０は地域データベース２２の検索を行わないで、「データベースに登録されていない地域です」の警告文を液晶ファインダ５０に表示し（図３（Ｂ）参照）、全国データベース２１から該当する花の属性情報を検索する。この警告文が液晶ファインダ５０に表示されると、撮影者は登録されている花の種類が多い全国データベース２１が検索されることを知ることができる。
【００４０】
この実施形態によれば、撮影位置が特定地域内の場合には登録されているデータ数の少ない地域データベース２２を検索するので、生物の正しい名前等を容易に特定することができる。
【００４１】
図４はこの発明の第２実施形態に係る検索システムを用いた検索方法を説明するための図、図５は境界指定方法を説明する図であり、第１実施形態と共通する部分には同一符号を付している。
【００４２】
この第２実施形態は指定領域の境界線の形状が第１実施形態と相違する。
【００４３】
地域データベース２２には、散策路ＷＳ、花の生息域に基づいて区画された指定領域ＭＡ２の地図データとその指定領域ＭＡ２に生息する花の属性情報とが登録されている。
【００４４】
指定領域ＭＡ２は水生植物生息域ＡＶ１，ＡＶ２及び高山植物生息域ＡＰ１，ＡＰ２を含んでいる。
【００４５】
指定領域ＭＡ２の境界は、領域ＡＡ１においては水生植物生息域ＡＶ１に沿って設定され、領域ＡＡ２においては散策路ＷＳに沿って設定され、領域ＡＡ３においては八島ケ原湿原（図２参照）の淵に沿って設定されている。この境界は、例えば１０ｍ間隔に位置する複数の指定点ｐ１、ｐ２…ｐ６を直線で結んだ線分で表される（図５参照）。指定領域ＭＡ２は指定領域ＭＡ１に内包されているので、指定領域ＭＡ２の面積とそこに生息する花の種類とは、指定領域ＭＡ１の面積とそこに生息する花の種類とよりそれぞれ小さい。  
地点Ｂで観察者がレリーズボタン６０を押すと、ＭＰＵ１０はファインダメモリ５５に画像データ４３ａを記憶させ、撮影位置が指定領域ＭＡ２内にあるか否を判断する。
【００４６】
地点Ｂは指定領域ＭＡ２内に位置するので（図４参照）、ＭＰＵ１０はファインダメモリ５５内の画像データ４３ａから画像認識によって花の特徴を抽出し、この特徴に基づいて地域データベース２２から該当する花の属性を検索する。
【００４７】
ＭＰＵ１０は検索した属性情報のうちの花の名前、水生植物生息域ＡＰ２の地名、地域及び山の名前を液晶ファインダ５０に表示する（図３（Ａ）参照）。
【００４８】
これに対し、地点Ａ（又は地点Ｃ）で観察者がレリーズボタン６０を押すと、ＭＰＵ１０はファインダメモリ５５に画像データ４３ａを記憶させ、撮影位置が指定領域ＭＡ２内にあるか否を判断する。
【００４９】
地域Ａは指定領域ＭＡ２外に位置するので（図４参照）、ＭＰＵ１０は地域データベース２２の検索を行わないで、「データベースに登録されていない地域です」の警告分が液晶ファインダ５０に表示し、全国データベース２１から該当する花の属性情報を検索する（図３（Ｂ）参照）。
【００５０】
この実施形態によれば、地域データベース２２に登録されている地図データの面積と花の種類とが、第１実施形態の地域データベース２２に登録されている地図データの面積と花の種類とよりそれぞれ小さいので、第１実施形態より高い精度で花の属性情報を検索することができる。
【００５１】
図６はこの発明の第３実施形態に係る検索システムを用いた検索方法を説明するための図であり、第２実施形態と共通する部分には同一符号を付している。
【００５２】
この第３実施形態は指定領域の境界線の形状が第２実施形態と相違する。
【００５３】
地域データベース２２には、等高線ＣＬに基づいて区画された指定領域ＭＡ３の地図データとその指定領域ＭＡ３に生息する花の属性情報とが登録されている。
【００５４】
指定領域ＭＡ３は高山植物生息域ＡＰ２を含むように区画されている。
【００５５】
指定領域ＭＡ３の境界は、高山植物生息域ＡＰ２を含む等高線ＣＬに沿って設定されている。指定領域ＭＡ３は第２実施形態の指定領域ＭＡ２を内包している。  
地点Ｂで観察者がレリーズボタン６０を押すと、ＭＰＵ１０はファインダメモリ５５に画像データ４３ａを記憶させ、撮影位置が指定領域ＭＡ３内にあるか否を判断する。
【００５６】
地点Ｂは指定領域ＭＡ３内に位置するので（図６参照）、ＭＰＵ１０はファインダメモリ５５の画像データ４３ａから画像認識によって花の特徴を抽出し、この特徴に基づいて地域データベース２２から該当する花の属性情報を検索する。
【００５７】
ＭＰＵ１０は検索された属性情報のうちの花の名前、水生植物生息域ＡＰ２の地名、地域及び山の名前を液晶ファインダ５０に表示する（図３（Ａ）参照）。
【００５８】
これに対し、地点Ａ（又は地点Ｃ，Ｄ）で観察者がレリーズボタン６０を押すと、ＭＰＵ１０はファインダメモリ５５に画像データ４３ａを記憶させ、撮影位置が指定領域ＭＡ３内にあるか否を判断する。
【００５９】
地域Ａは指定領域ＭＡ３外に位置するので（図６参照）、ＭＰＵ１０は地域データベース２２の検索を行わないで、「データベースに登録されていない地域です」の警告分が液晶ファインダ５０に表示し（図３（Ｂ）参照）、全国データベース２１から該当する花の属性情報を検索する。
【００６０】
この実施形態によれば、地域データベース２２に登録されている地図データの面積と花の種類とが、第２実施形態の地域データベース２２に登録されている地図データの面積と花の種類とよりそれぞれ小さいので、第２実施形態より高い精度で花の属性情報を検索することができる。
【００６１】
なお、地図データ上の特定地域は、地形を表す閉曲線で囲まれた領域であれば、山、山脈、湖沼、河川及び河川の流域を表す曲線で囲まれた領域であってもよい。また、この地域は、法律又は条例に基いて国又は地方自治体が指定する領域（国立公園又は県立公園）であってもよい。
【図面の簡単な説明】
【００６２】
【図１】図１はこの発明の一実施形態に係る検索システムの全体構成図である。
【図２】図２はこの発明の第１実施形態に係る検索システムを用いた検索方法を説明するための図である。
【図３】図３は液晶ファインダ５０に表示される検索結果表示の一例を示す図である。
【図４】図４はこの発明の第２実施形態に係る検索システムを用いた検索方法を説明するための図である。
【図５】図５は境界指定方法を説明する図である。
【図６】図６はこの発明の第３実施形態に係る検索システムを用いた検索方法を説明するための図である。
【符号の説明】
【００６３】
１： 検索システム、１０：ＭＰＵ（検索手段）、２０：データベース、２２：地域データベース（生物データベース）、３０：ＧＰＳアンテナ（位置検出手段）、４０：撮像部（撮影手段）、５０：液晶ファインダ（表示手段）。
【図１】
2007179129.tif 000003
【図２】
2007179129.tif 000004
【図３】
2007179129.tif 000005
【図４】
2007179129.tif 000006
【図５】
2007179129.tif 000007
【図６】
2007179129.tif 000008